(57)【要約】【課題】配線板状部材に複数のコンタクトが比較的大なる押圧力を作用させる事態をまねくことなく、配線板状部材に設けられた複数の配線端子に複数のコンタクトが夫々有する複数の接点部を当接させることができる配線端子連結装置を提供する。【解決手段】絶縁ハウジング１６に、配線板状部材１５の被補強部分１４が相対向する第１及び第２の面２０、２１のうちの一方に取り付けられた補強板状部材１３を収容する板状部材収容部１９が設けられ、複数のコンタクト１７の夫々が、絶縁ハウジングに固定された固定部２５とそれから板状部材収容部内へと伸びる弾性アーム部分２７とを有し、弾性アーム部分に、配線板状部材の被補強部分における配線端子２３に当接する接点部２８と補強板状部材を第１及び第２の面のうちの他方側から係合係止する係止部２９とが設けられている。【選択図】図１１
2015035298.tif 000002
【特許請求の範囲】
【請求項１】
主配線基板上に固定される絶縁ハウジングと各々が上記主配線基板に設けられた基板側配線端子に接続される基板接続部を有して上記絶縁ハウジングに配列配置された複数のコンタクトとを備えた基板側コネクタと、
複数の配線端子が設けられ、上記絶縁ハウジングに係合する補強板状部材の相対向する第１及び第２の面のうちの一方側に取り付けられた被補強部分を有する配線板状部材と、
を含んで構成され、
上記絶縁ハウジングに、上記配線板状部材の被補強部分を伴った上記補強板状部材を収容する板状部材収容部が設けられていること、
上記複数のコンタクトが交互に配された第１及び第２のコンタクトを含み、該第１及び第２のコンタクトの夫々が、上記基板接続部に加えて、上記絶縁ハウジングに固定された固定部と該固定部から上記板状部材収容部側へと伸びる弾性アーム部分とを有し、該弾性アーム部分に、上記配線板状部材の被補強部分における上記配線端子に当接する接点部と上記補強板状部材を上記第１及び第２の面のうちの他方側から係合係止する係止部とが設けられていて、上記配線端子を上記基板側配線端子に連結すること、
上記第１のコンタクトの固定部が固定された上記絶縁ハウジングの第１の部分と上記第２のコンタクトの固定部が固定された上記絶縁ハウジングの第２の部分とが上記板状部材収容部を挟んで相互対向し、上記第１のコンタクトの固定部から伸びる弾性アーム部分における上記係止部と上記第２のコンタクトの固定部から伸びる弾性アーム部分における上記接点部とが上記絶縁ハウジングの第１の部分側に配され、上記第２のコンタクトの固定部から伸びる弾性アーム部分における上記係止部と上記第１のコンタクトの固定部から伸びる弾性アーム部分における上記接点部とが上記絶縁ハウジングの第２の部分側に配されていること、
を特徴とする配線端子連結装置。
【請求項２】
上記板状部材収容部が、上記主配線基板における上記絶縁ハウジングが配された面に直交する方向に沿って開口する開口部分を有しており、上記配線板状部材の被補強部分を伴った上記補強板状部材が上記開口部分を通じて上記板状部材収容部に収容されることを特徴とする請求項１記載の配線端子連結装置。
【請求項３】
上記板状部材収容部に、上記複数のコンタクトの弾性アーム部分が夫々配される複数のスリットが配列形成されていることを特徴とする請求項１記載の配線端子連結装置。
【請求項４】
上記絶縁ハウジングの第１の部分に、各々に上記第１のコンタクトの固定部から伸びる弾性アーム部分における上記係止部が配される複数の溝部が配列形成されているとともに、上記絶縁ハウジングの第２の部分に、各々に上記第２のコンタクトの固定部から伸びる弾性アーム部分における上記係止部が配される複数の溝部が配列形成されていることを特徴とする請求項１記載の配線端子連結装置。
【発明の詳細な説明】
【技術分野】
【０００１】
本願の特許請求の範囲に記載された発明は、フレキシブル印刷配線基板（ＦＰＣ）等の配線板状部材が主配線基板に装着されるにあたり、配線板状部材に設けられた複数の配線端子を主配線基板に設けられた複数の基板側配線端子に連結された状態におく配線端子連結装置に関する。
【背景技術】
【０００２】
各種の電子機器に実装される比較的小型なフレキシブル印刷配線基板等の配線板状部材は、各種の電気部品が取り付けられる主配線基板との電気的接続が、電子機器内におけるスペース上の制約等から、主配線基板にそれに対して対面近接して重ね合わせられるようにして装着されることにより行われることが少なくない。このような配線板状部材と主配線基板とのような板状部材の組についての一方が他方に対面近接して重ね合わせられる装着態様を、以下においては対面近接重ね合わせ装着ということとする。
【０００３】
配線板状部材を主配線基板に対する対面近接重ね合わせ装着をもって主配線基板に電気的に接続するにあたり、フレキシブル印刷配線基板等の配線板状部材に設けられた複数の配線端子を主配線基板に設けられた複数の基板側配線端子に夫々連結された状態とするための幾つかの方策が、従来において提案されている。これらの方策の一つは、主配線基板に絶縁ハウジングを有した基板側コネクタを取り付けるとともに、配線板状部材を補強板状部材に取り付けられた被補強部分を有するものとし、配線板状部材の被補強部分を伴った補強板状部材を基板側コネクタの絶縁ハウジングに直接的に係合させることにより、配線板状部材の被補強部分に設けられた複数の配線端子に主配線基板に設けられた複数の基板側配線端子に夫々連結された状態をとらせる配線端子連結機構を構成するものとされている（例えば、特許文献１参照。）。
【０００４】
特許文献１に示される配線端子連結機構にあっては、主配線基板（プリント基板) にそれに固定される絶縁ハウジング（インシュレータ(30)) を有した基板側コネクタ（コネクタ(3))が取り付けられ、また、配線板状部材（ＦＰＣケーブル(1))が補強板状部材（補強板(2))によって補強された被補強部分を有するものとされている。そして、基板側コネクタ(3) の絶縁ハウジング(30)には、配線板状部材(1) の被補強部分が装着される板状部材装着部が設けられており、板状部材装着部には複数のコンタクト(33)が配列配置されている。また、板状部材装着部における複数のコンタクト(33)の配列方向（コンタクト配列方向）の両端部には、一対の板状部材係止部（ロック部材(37)) が、板状部材装着部に配列配置された複数のコンタクト(33)を挟んで夫々立設されており、一対の板状部材係止部(37)の各々には、係合孔(3７a)が形成されている。
【０００５】
配線板状部材(1) の被補強部分は、その下面に複数の配線端子が設けられているとともに、その上面に補強板状部材(2) が取り付けられたものとされ、配線板状部材(1) における複数の接触端子部が設けられた被補強部分は、それに取り付けられた補強板状部材(2) と共に、基板側コネクタ(3) における板状部材装着部に装着される。補強板状部材(2) は、基板側コネク(3) における板状部材装着部に装着されたときコンタクト配列方向に沿う方向となる長手方向の両端部に、一対の突出部（係合凸起部(23)) が夫々形成されたものとされている。
【０００６】
斯かるもとで、配線板状部材(1) の被補強部分が、それに取り付けられた補強板状部材(2) と共に、基板側コネクタ(3) における板状部材装着部に装着されたときには、板状部材装着部に配列配置された主配線基板における基板側端子部に半田付け接続された複数のコンタクト(33)が、配線板状部材(1) の被補強部分における複数の配線端子に夫々弾性的に接触接続される。また、それとともに、配線板状部材(1) の被補強部分に取り付けられた補強板状部材(2) における長手方向の両端部に形成された一対の突出部(23)が、板状部材装着部の両端部に立設された一対の板状部材係止部(37)の各々に形成された係合孔(37a) に夫々係合する。それにより、補強板状部材(2) における長手方向の両端部が一対の板状部材係止部(37)によって係止された状態におかれるので、基板側コネクタ(3) における板状部材装着部に配列配置された複数のコンタクト(33)が配線板状部材(1) における複数の配線端子に夫々弾性的に接触接続された状態が、安定に維持されることが期待される。
【０００７】
しかしながら、このような特許文献１に示される配線端子連結機構においては、配線板状部材(1) の被補強部分及びそれに装着された補強板状部材(2) が、補強板状部材(2) における長手方向の両端部が一対の板状部材係止部(37)によって係止されたもとで、配線板状部材(1) の被補強部分の下面側から板状部材装着部に配列配置された複数のコンタクト(33)の夫々の弾性力によって押し上げられることになる。それにより、配線板状部材(1) の被補強部分及びそれに装着された補強板状部材(2) に、その補強板状部材(2) における長手方向の両端部の間となる部分が板状部材装着部から離隔するように隆起せしめられる“反り”が生じる虞がある。斯かる“反り”が配線板状部材(1) の被補強部分及びそれに装着された補強板状部材(2) に生じると、例えば、配線板状部材(1) の被補強部分に設けられた複数の配線端子等に悪影響が及ぼされることになってしまう。
【０００８】
そのため、従来にあっては、基板側コネクタにおける板状部材装着部に配線板状部材の被補強部分及びそれに装着された補強板状部材が装着されて、補強板状部材における長手方向の両端部が一対の板状部材係止部によって係止されるにあたり、配線板状部材の被補強部分及びそれに装着された補強板状部材に“反り”が生じないように工夫したものも提案されている（例えば、特許文献２参照。）。
【０００９】
特許文献２に示される配線端子連結機構においては、配線板状部材（ＦＰＣケーブル(301))の被補強部分が、それに取り付けられた補強板状部材（補強板(304))と共に、主配線基板（基板(201))に配された基板側コネクタ（板状ケーブル用コネクタ(101))の絶縁ハウジング（ハウジング(102))における板状部材装着部に装着されるとき、補強板状部材(304) における長手方向の両端部が、絶縁ハウジング(102) に設けられた一対の板状部材係止部（抜止部(103))によって係止される。そして、斯かる際に、絶縁ハウジング(102) における板状部材装着部に配列配置されて主配線基板(201) における基板側端子部に半田付け接続された複数のコンタクト（コンタクト(105) が、配線板状部材(301) の被補強部分に配された複数の配線端子（端子部(302A)) に夫々弾性的に接触接続され、それにより、配線板状部材(301) の被補強部分及びそれに装着された補強板状部材(304) が、補強板状部材(304) における長手方向（コンタクト(105) の配列方向）の両端部が一対の板状部材係止部(103) によって係止されたもとで、配線板状部材(301) の被補強部分の下面側から板状部材装着部に配列配置された複数のコンタクト(105) の夫々の弾性力によって押し上げられることになる。
【００１０】
このようなもとで、配線板状部材(301) の被補強部分に取り付けられた補強板状部材(304) には、その長手方向に伸びる一側縁部にその全体に亙る折曲部（係合突起(304E)) が形成されており、斯かる折曲部(304E)は、補強板状部材(304) におけるその長手方向の“反り”を抑制する機能を果たす。その結果、配線板状部材(301) の被補強部分及びそれに装着された補強板状部材(304) が、補強板状部材(304) における長手方向の両端部が一対の板状部材係止部(103) によって係止されたもとで、配線板状部材(301) の被補強部分の下面側から板状部材装着部に配列配置された複数のコンタクト(105) の夫々の弾性力によって押し上げられても、補強板状部材(304) の長手方向に伸びる一側縁部にその全体に亙る折曲部(304E)が形成されていることにより、配線板状部材(301) の被補強部分及びそれに装着された補強板状部材(304) に、その補強板状部材(304) における長手方向の両端部の間となる部分が板状部材装着部から離隔するように隆起せしめられる“反り”が生じる事態が回避される。
【先行技術文献】
【特許文献】
【００１１】
【特許文献１】特開平６−６８９４０号公報（段落００１３〜００２０，図１〜４）
【特許文献２】特開２０１２−２５２９１２号公報（段落００１１〜００１６，図１〜４）
【発明の概要】
【発明が解決しようとする課題】
【００１２】
上述のような、フレキシブル印刷配線基板等の配線板状部材を主配線基板に対する対面近接重ね合わせ装着をもって主配線基板に電気的に接続するにあたり、配線板状部材に設けられた複数の配線端子を主配線基板に設けられた複数の基板側配線端子に夫々連結された状態とするためのものとして従来提案されている、特許文献２に記載された配線端子連結機構が用いられる場合においても、基板側コネクタについて、その主配線基板からの突出量を定める全体の厚み寸法をできるだけ小に抑えようとする低背化が望まれるが、斯かる低背化を図るため、基板側コネクタの絶縁ハウジングが比較的薄いものとして形成されることが考えられる。
【００１３】
基板側コネクタの低背化が図られてその絶縁ハウジングが比較的薄いものとして形成されたときには、それに伴って絶縁ハウジングの剛性が低減せしめられることになる。斯かるもとで、基板側コネクタの絶縁ハウジングにおける板状部材装着部に装着される配線板状部材の被補強部分に取り付けられた補強板状部材が、その長手方向に伸びる一側縁部にその全体に亙る折曲部が形成されたものとされ、それにより、配線板状部材の被補強部分及びそれに装着された補強板状部材が、補強板状部材における長手方向の両端部が一対の板状部材係止部によって係止されたもとで、配線板状部材の被補強部分の下面側から板状部材装着部に配列配置された複数のコンタクトの夫々の弾性力によって押し上げられても、配線板状部材の被補強部分及びそれに装着された補強板状部材に、その補強板状部材における長手方向の両端部の間となる部分が板状部材装着部から離隔するように隆起せしめられる“反り”が生じる事態が回避されるもとにあっては、配線板状部材の被補強部分及びそれに装着された補強板状部材に作用する複数のコンタクトの夫々の弾性押圧力が、絶縁ハウジングに作用する反力をもたらして、剛性が低減せしめられた絶縁ハウジングに、コンタクト配列方向に沿う方向となる長手方向の両端部の間となる部分が配線板状部材の被補強部分及びそれに装着された補強板状部材から離隔するように変位せしめられる“反り”を生じさせることになる虞がある。
【００１４】
このようにして、基板側コネクタの絶縁ハウジングが“反り”が生じる事態がまねかれると、絶縁ハウジングに配された複数のコンタクトと主配線基板の基板側配線端子との半田付け部に不所望な応力が作用して、当該半田付け部にクラックが発生してしまうという不都合がまねかれる虞がある。
【００１５】
斯かる点に鑑み、本願の特許請求の範囲に記載された発明は、複数のコンタクトが配列配置された絶縁ハウジングを有して主配線基板上に配される基板側コネクタを備え、フレキシブル印刷配線基板等の配線板状部材に設けられた複数の配線端子に複数のコンタクトを当接させることにより、配線板状部材に設けられた複数の配線端子を主配線基板に設けられた複数の基板側配線端子に夫々連結する連結機構を成すものであって、基板側コネクタの全体の厚み寸法をできるだけ小に抑える低背化が図られ、基板側コネクタの絶縁ハウジングが比較的薄いものとして形成されたもとにあっても、配線板状部材に作用する複数のコンタクトの夫々の弾性押圧力がもたらす絶縁ハウジングに作用する反力が、絶縁ハウジングに“反り”を生じさせる事態を回避することができる配線端子連結装置を提供する。
【課題を解決するための手段】
【００１６】
本願の特許請求の範囲における請求項１から請求項４までのいずれかに記載された発明（以下、本発明という。）に係る配線端子連結装置は、主配線基板上に固定される絶縁ハウジングと各々が主配線基板に設けられた基板側配線端子に接続される基板接続部を有して絶縁ハウジングに配列配置された複数のコンタクトとを備えた基板側コネクタと、複数の配線端子が設けられ、基板側コネクタの絶縁ハウジングに係合する補強板状部材の相対向する第１及び第２の面のうちの一方側に取り付けられた被補強部分を有する配線板状部材と、を含んで構成される。そして、斯かる配線端子連結装置にあっては、基板側コネクタの絶縁ハウジングに配線板状部材の被補強部分を伴った補強板状部材を収容する板状部材収容部が設けられ、複数のコンタクトが交互に配された第１及び第２のコンタクトを含み、第１及び第２のコンタクトの夫々が、基板接続部に加えて、絶縁ハウジングに固定された固定部とそれから板状部材収容部側へと伸びる弾性アーム部分とを有し、弾性アーム部分に、配線板状部材の被補強部分における配線端子に当接触せしめられる接点部と補強板状部材を第１及び第２の面のうちの他方側から係合係止する係止部とが設けられていて、配線板状部材における配線端子を主配線基板における基板側配線端子に連結し、第１のコンタクトの固定部が固定された絶縁ハウジングの第１の部分と第２のコンタクトの固定部が固定された絶縁ハウジングの第２の部分とが板状部材収容部を挟んで相互対向し、第１のコンタクトの固定部から伸びる弾性アーム部分における接点部と第２のコンタクトの固定部から伸びる弾性アーム部分における係止部とが絶縁ハウジングの第２の部分側に配され、第２のコンタクトの固定部から伸びる弾性アーム部分における接点部と第１のコンタクトの固定部から伸びる弾性アーム部分における係止部とが絶縁ハウジングの第１の部分側に配される。
【００１７】
上述のような本発明に係る配線端子連結装置にあっては、例えば、フレキシブル印刷配線基板とされる配線板状部材が取り付けられた補強板状部材が、それに取り付けられた配線板状部材の被補強部分を伴って、基板側コネクタの絶縁ハウジングに設けられた板状部材収容部に収容されるが、配線板状部材の被補強部分は補強板状部材の相対向する第１及び第２の面のうちの一方側に取り付けられる。そして、配線板状部材の被補強部分を伴った補強板状部材が板状部材収容部に収容されたときには、基板側コネクタの絶縁ハウジングに配列配置された複数の第１のコンタクトの夫々が、第２のコンタクトの夫々の固定部が固定された絶縁ハウジングの第２の部分側において、弾性アーム部分に設けられた接点部を、板状部材収容部に収容された補強板状部材に取り付けられた配線板状部材の被補強部分に設けられた配線端子に当接させるとともに、第１のコンタクトの夫々の固定部が固定された絶縁ハウジングの第１の部分側において、弾性アーム部分に設けられた係止部に、板状部材収容部に収容された補強板状部材を、その第１及び第２の面のうちの他方側から係合係止する状態をとらせ、また、基板側コネクタの絶縁ハウジングに配列配置された複数の第２のコンタクトの夫々が、絶縁ハウジングの第１の部分側において、弾性アーム部分に設けられた接点部を、板状部材収容部に収容された補強板状部材に取り付けられた配線板状部材の被補強部分に設けられた配線端子に当接させるとともに、絶縁ハウジングの第２の部分側において、弾性アーム部分に設けられた係止部に、板状部材収容部に収容された補強板状部材を、その第１及び第２の面のうちの他方側から係合係止する状態をとらせる。
【００１８】
このようにして、各々が主配線基板に設けられた基板側配線端子に接続される基板接続部を有して交互に配された第１及び第２のコンタクトの夫々の弾性アーム部分に設けられた接点部が、配線板状部材に設けられた配線端子に当接せしめられることにより、複数のコンタクトの夫々によって配線板状部材に設けられた配線端子が主配線基板に設けられた基板側配線端子に連結されることになる。斯かる際、複数の第１のコンタクトの夫々が、絶縁ハウジングの第２の部分側において、弾性アーム部分に設けられた接点部が、補強板状部材に取り付けられた配線板状部材の被補強部分に、それに設けられた配線端子を介して、補強板状部材の相対向する第１及び第２の面のうちの一方側に向かう弾性押圧力を作用させるとともに、絶縁ハウジングの第２の部分に対向する絶縁ハウジングの第１の部分側において、弾性アーム部分に設けられた係止部が、補強板状部材をその第１及び第２の面のうちの他方側から係合係止する。また、複数の第２のコンタクトの夫々が、絶縁ハウジングの第１の部分側において、弾性アーム部分に設けられた接点部が、補強板状部材に取り付けられた配線板状部材の被補強部分に、それに設けられた配線端子を介して、補強板状部材の相対向する第１及び第２の面のうちの一方側に向かう弾性押圧力を作用させるとともに、絶縁ハウジングの第２の部分側において、弾性アーム部分に設けられた係止部が、補強板状部材をその第１及び第２の面のうちの他方側から係合係止する。
【００１９】
それにより、絶縁ハウジングの第１及び第２の部分が板状部材収容部を挟んで相互対向するもとで、絶縁ハウジングにおける第２の部分側において、第１のコンタクトの接点部が配線板状部材に作用させる弾性押圧力を、当該第１のコンタクトに隣接する第２のコンタクトの係止部が配線板状部材の被補強部分及び補強板状部材を介して受け止めるとともに、絶縁ハウジングにおける第１の部分側において、第２のコンタクトの接点部が配線板状部材に作用させる弾性押圧力を、当該第２のコンタクトに隣接する第１のコンタクトの係止部が配線板状部材の被補強部分及び補強板状部材を介して受け止める。
【発明の効果】
【００２０】
本発明に係る配線端子連結装置にあっては、配線板状部材が取り付けられた補強板状部材が、それに取り付けられた配線板状部材の被補強部分を伴って、基板側コネクタの絶縁ハウジングに設けられた板状部材収容部に収容されたもとで、絶縁ハウジングに交互に配された第１及び第２のコンタクトの夫々の弾性アーム部分に設けられた接点部が、配線板状部材に設けられた配線端子に当接せしめられることにより、複数のコンタクトの夫々によって配線板状部材に設けられた配線端子が主配線基板に設けられた基板側配線端子に連結されるが、その際、絶縁ハウジングの第１及び第２の部分が板状部材収容部を挟んで相互対向するもとで、絶縁ハウジングにおける第２の部分側において、第１のコンタクトの接点部が配線板状部材に作用させる弾性押圧力を、当該第１のコンタクトに隣接する第２のコンタクトの係止部が配線板状部材の被補強部分及び補強板状部材を介して受け止めるとともに、絶縁ハウジングにおける第１の部分側において、第２のコンタクトの接点部が配線板状部材に作用させる弾性押圧力を、当該第２のコンタクトに隣接する第１のコンタクトの係止部が配線板状部材の被補強部分及び補強板状部材を介して受け止める。
【００２１】
このようにして、第１のコンタクトの接点部が配線板状部材に作用させる弾性押圧力が、当該第１のコンタクトに隣接する第２のコンタクトの係止部によって受け止められるとともに、第２のコンタクトの接点部が配線板状部材に作用させる弾性押圧力が、当該第２のコンタクトに隣接する第１のコンタクトの係止部によって受け止められることにより、基板側コネクタの全体の厚み寸法をできるだけ小に抑える低背化が図られ、基板側コネクタの絶縁ハウジングが比較的薄いものとして形成されたもとにあっても、配線板状部材に作用する第１及び第２のコンタクトの夫々の接点部による弾性押圧力がもたらす絶縁ハウジングに作用する反力が、絶縁ハウジングに“反り”を生じさせる事態が回避される。その結果、基板側コネクタの絶縁ハウジングに配された第１及び第２のコンタクトと主配線基板の基板側配線端子との半田付け部に不所望な応力が作用して、当該半田付け部にクラックが発生してしまうというような不都合は生じない。
【図面の簡単な説明】
【００２２】
【図１】本発明に係る配線端子連結装置の一例を構成する主配線基板に固定された絶縁ハウジングを備えた基板側コネクタと補強板状部材に取り付けられた被補強部分を有する配線板状部材とを示す斜視図である。
【図２】図１に示される基板側コネクタを示す平面図である。
【図３】図１に示される基板側コネクタを示す側面図である。
【図４】図１に示される基板側コネクタに備えられる第１のコンタクトを単体で示す斜視図である。
【図５】図１に示される基板側コネクタに備えられる第２のコンタクトを単体で示す斜視図である。
【図６】図３におけるVI−VI線断面を示す断面図である。
【図７】図３における VII−VII 線断面を示す断面図である。
【図８】図１に示される基板側コネクタに図１に示される配線板状部材の被補強部分が取り付けられた補強板状部材が係合した状態を示す斜視図である。
【図９】図１に示される基板側コネクタに図１に示される配線板状部材の被補強部分が取り付けられた補強板状部材が係合した状態を示す平面図である。
【図１０】図１に示される基板側コネクタに図１に示される配線板状部材の被補強部分が取り付けられた補強板状部材が係合した状態を示す側面図である。
【図１１】図１０におけるXI−XI線断面を示す断面図である。
【図１２】図１０における XII−XII 線断面を示す断面図である。
【図１３】図１２におけるXIII−XIII線断面を示す断面図である。
【発明を実施するための形態】
【００２３】
本発明を実施するための形態は、以下に述べられる本発明についての実施例をもって説明される。
【実施例】
【００２４】
図１（斜視図）は、本発明に係る配線端子連結装置の一例を構成する主要構成要素である基板側コネクタと配線板状部材とを示す。
【００２５】
図１において、本発明に係る配線端子連結装置の一例を成す配線端子連結装置１０は、主配線基板１１に取り付けられた基板側コネクタ１２と、基板側コネクタ１２に係合する矩形の補強板状部材１３に取り付けられた被補強部分１４（後述される図１１及び図１２に示される。）を有した、例えば、帯状のフレキシブル印刷配線基板とされる配線板状部材１５とを含んで構成される。基板側コネクタ１２は、主配線基板１１上に固定される絶縁ハウジング１６と、基板側コネクタ１２を示す図２（平面図）及び図３（側面図）にも示されるように、絶縁ハウジング１６に交互に配列配置された複数の第１のコンタクト１７と複数の第２のコンタクト１８とを備えている。絶縁ハウジング１６には、配線板状部材１５の被補強部分１４を伴った補強板状部材１３を収容する板状部材収容部１９が、矩形の凹部を成すものとして設けられている。板状部材収容部１９は、主配線基板１１における絶縁ハウジング１６が配された面に直交する方向に沿って開口する開口部分を有している。
【００２６】
配線板状部材１５の被補強部分１４を伴った補強板状部材１３は、相対向する第１の面２０と第２の面２１とを有しており、配線板状部材１５の被補強部分１４は、補強板状部材１３の第２の面２１側に、それに埋め込まれるようにして取り付けられている。配線板状部材１５の被補強部分１４には、絶縁ハウジング１６における板状部材収容部１９に収容されたとき板状部材収容部１９が成す矩形の凹部の底面部に対面することになる面に、複数の配線端子２３（後述される図１１及び図１２に示される。）が設けられている。
【００２７】
そして、配線板状部材１５の被補強部分１４を伴った補強板状部材１３は、絶縁ハウジング１６に設けられた板状部材収容部１９に、それが有する開口部分を通じ、配線板状部材１５の被補強部分１４を板状部材収容部１９の底部に対向させる状態をもって収容される。補強板状部材１３には、板状部材収容部１９に収容された補強板状部材１３を板状部材収容部１９から脱出させるべく引き上げる際に使われる引上用テープ１３Ａが装着されている。
【００２８】
複数の第１のコンタクト１７の夫々は、図４に示されるように、弾性を有した金属板材に打抜き加工が施されて形成され、絶縁ハウジング１６に固定される固定部２５と、固定部２５から伸びて主配線基板１１に設けられた基板側配線端子（図示が省略されている。）に接続される基板接続部２６と、固定部２５から基板接続部２６とは反対側に伸びる弾性アーム部分２７とを有している。弾性アーム部分２７には、その先端部に、配線板状部材１５の被補強部分１４における配線端子２３に接触する状態をとる接点部２８が設けられており、さらに、固定部２５の近傍となる部位に、補強板状部材１３をその第１の面２０側から係合係止する状態をとる係止部２９が設けられている。
【００２９】
複数の第２のコンタクト１８の夫々も、複数の第１のコンタクト１７の夫々と同様のものとされており、図５に示されるように、弾性を有した金属板材に打抜き加工が施されて形成され、絶縁ハウジング１６に固定される固定部３０と、固定部３０から伸びて主配線基板１１に設けられた基板側配線端子（図示が省略されている。）に接続される基板接続部３１と、固定部３０から基板接続部３１とは反対側に伸びる弾性アーム部分３２とを有している。弾性アーム部分３２には、その先端部に、配線板状部材１５の被補強部分１４における配線端子２３に接触する状態をとる接点部３３が設けられており、さらに、固定部３０の近傍となる部位に、補強板状部材１３をその第１の面２０側から係合係止する状態をとる係止部３４が設けられている。
【００３０】
このような複数の第１のコンタクト１７及び複数の第２のコンタクト１８が、図１〜３に示されるように、絶縁ハウジング１６に交互に配列配置されたもとにあっては、複数の第１のコンタクト１７の夫々が、その固定部２５が、絶縁ハウジング１６における板状部材収容部１９を挟んで相互対向して複数の第１及び第２のコンタクト１７及び１８の配列方向に沿って伸びる部分３５及び３６のうちの一方である部分３５に固定されて、その弾性アーム部分２７が絶縁ハウジング１６の部分３５側から板状部材収容部１９側へと絶縁ハウジング１６の部分３６に向かって伸びるものとされ、また、複数の第２のコンタクト１８の夫々が、その固定部３０が、絶縁ハウジング１６における部分３５及び３６のうちの他方である部分３６に固定されて、その弾性アーム部分３２が絶縁ハウジング１６の部分３６側から板状部材収容部１９側へと絶縁ハウジング１６の部分３５に向かって伸びるものとされる。従って、第１のコンタクト１７の固定部２５から伸びる弾性アーム部分２７と第２のコンタクト１８の固定部３０から伸びる弾性アーム部分３２とが互いに逆方向に伸びていることになる。
【００３１】
複数の第１のコンタクト１７の弾性アーム部分２７及び複数の第２のコンタクト１８の弾性アーム部分３２は、絶縁ハウジング１６における板状部材収容部１９の底部に配列形成された複数のスリット３７に夫々配されている。また、複数の第１のコンタクト１７の弾性アーム部分２７に設けられた係止部２９が、絶縁ハウジング１６の部分３５に配列形成された複数の溝３９に夫々配されており、また、複数の第２のコンタクト１８の弾性アーム部分３２に設けられた係止部３４が、絶縁ハウジング１６の部分３６に配列形成された複数の溝３８に夫々配されている。
【００３２】
図３におけるVI−VI線断面を示す図６に示されるように、絶縁ハウジング１６における板状部材収容部１９内において、絶縁ハウジング１６の部分３５に固定された固定部２５から伸びる弾性アーム部分２７を有した第１のコンタクト１７は、弾性アーム部分２７に設けられた接点部２８が、第２のコンタクト１８における固定部３０が固定された絶縁ハウジング１６の部分３６側に配されるとともに、弾性アーム部分２７に設けられた係止部２９が、固定部２５が固定された絶縁ハウジング１６の部分３５側に配される状態におかれる。また、図３における VII−VII 線断面を示す図７に示されるように、絶縁ハウジング１６における板状部材収容部１９内において、絶縁ハウジング１６の部分３６に固定された固定部３０から伸びる弾性アーム部分３２を有した第２のコンタクト１８は、弾性アーム部分３２に設けられた接点部３３が、第１のコンタクト１７における固定部２５が固定された絶縁ハウジング１６の部分３５側に配されるとともに、弾性アーム部分３２に設けられた係止部３４が、固定部３０が固定された絶縁ハウジング１６の部分３６側に配される状態におかれる。
【００３３】
このようなもとで、主配線基板１１に取り付けられた基板側コネクタ１２に、補強板状部材１３に取り付けられた被補強部分１４を有した配線板状部材１５が係合せしめられる際には、配線板状部材１５の被補強部分１４を伴った補強板状部材１３が、基板側コネクタ１２の絶縁ハウジング１６に設けられた板状部材収容部１９に、それが有する開口部分を通じ、配線板状部材１５の被補強部分１４を板状部材収容部１９の底部に対向させる状態をもって収容される。それにより、主配線基板１１に取り付けられた基板側コネクタ１２及び補強板状部材１３に取り付けられた被補強部分１４を有した配線板状部材１５が、図８（斜視図），図９（平面図）及び図１０（側面図）に示される状態におかれる。
【００３４】
図８〜１０の夫々に示されるように、補強板状部材１３が板状部材収容部１９に収容されたときには、補強板状部材１３に取り付けられた被補強部分１４を有した配線板状部材１５は、その一部を、基板側コネクタ１２の絶縁ハウジング１６に設けられた切欠き部４０を通じて、絶縁ハウジング１６の外部へと突出させる。また、補強板状部材１３に装着された引上用テープ１３Ａは、板状部材収容部１９から絶縁ハウジング１６の外部（上方）へと突出する位置をとる。
【００３５】
このようにして配線板状部材１５の被補強部分１４を伴った補強板状部材１３が基板側コネクタ１２の絶縁ハウジング１６に設けられた板状部材収容部１９に収容されたもとにあっては、図１０におけるXI−XI線断面を示す図１１に示されるように、主配線基板１１に設けられた基板側配線端子に接続される基板接続部２６を有して絶縁ハウジング１６に配列配置された複数の第１のコンタクト１７の夫々が、絶縁ハウジング１６の部分３６の近傍において、弾性アーム部分２７に設けられた接点部２８を、板状部材収容部１９に収容された補強板状部材１３に取り付けられた配線板状部材１５の被補強部分１４に設けられた配線端子２３に当接させるとともに、絶縁ハウジング１６の部分３５の近傍において、弾性アーム部分２７に設けられた係止部２９に、板状部材収容部１９に収容された補強板状部材１３をその第１の面２０側から係合係止する状態をとらせる。
【００３６】
さらに、斯かるもとにおいては、図１０における XII−XII 線断面を示す図１２に示されるように、主配線基板１１に設けられた基板側配線端子に接続される基板接続部３１を有して絶縁ハウジング１６に配列配置された複数の第２のコンタクト１８の夫々が、絶縁ハウジング１６の部分３５の近傍において、その弾性アーム部分３２に設けられた接点部３３を、板状部材収容部１９に収容された補強板状部材１３に取り付けられた配線板状部材１５の被補強部分１４に設けられた配線端子２３に当接させるとともに、絶縁ハウジング１６の部分３６の近傍において、弾性アーム部分３２に設けられた係止部３４に、板状部材収容部１９に収容された補強板状部材１３を、その第１の面２０側から係合係止する状態をとらせる。
【００３７】
このようにして、各々が主配線基板１１に設けられた基板側配線端子に接続される基板接続部２６を有した複数の第１のコンタクト１７の夫々の弾性アーム部分２７に設けられた接点部２８、及び、各々が主配線基板１１に設けられた基板側配線端子に接続される基板接続部３１を有した複数の第２のコンタクト１８の夫々の弾性アーム部分３２に設けられた接点部３３が、配線板状部材１５に設けられた配線端子２３に当接せしめられることにより、複数の第１のコンタクト１７及び複数の第２のコンタクト１８の夫々によって、配線板状部材１５に設けられた配線端子２３が主配線基板１１に設けられた基板側配線端子に連結されることになる。
【００３８】
斯かる際、複数の第１のコンタクト１７の夫々が、絶縁ハウジング１６の部分３６側において、弾性アーム部分２７に設けられた接点部２８が、補強板状部材１３に取り付けられた配線板状部材１５の被補強部分１４に、それに設けられた配線端子２３を介して、補強板状部材１３の第２の面２１側から第１の面２０側に向かう弾性押圧力を作用させるとともに、絶縁ハウジング１６の部分３５側において、弾性アーム部分２７に設けられた係止部２９が、補強板状部材１３をその第１の面２０側から係合係止する。また、複数の第２のコンタクト１８の夫々が、絶縁ハウジング１６の部分３５側において、弾性アーム部分３２に設けられた接点部３３が、補強板状部材１３に取り付けられた配線板状部材１５の被補強部分１４に、それに設けられた配線端子２３を介して、補強板状部材１３の第２の面２１側から第１の面２０側に向かう弾性押圧力を作用させるとともに、絶縁ハウジング１６の部分３６側において、弾性アーム部分３２に設けられた係止部３４が、補強板状部材１３をその第１の面２０側から係合係止する。
【００３９】
それにより、絶縁ハウジング１６の部分３５及び部分３６が板状部材収容部１９を挟んで相互対向するもとで、図１３に示されるように、絶縁ハウジング１６における部分３６側において、第１のコンタクト１７の接点部２８が配線板状部材１５に作用させる弾性押圧力を、当該第１のコンタクト１７に隣接する第２のコンタクト１８の係止部３４が配線板状部材１５の被補強部分１４及び補強板状部材１３を介して受け止める。また、同様に、絶縁ハウジング１６における部分３５側において、第２のコンタクト１８の接点部３３が配線板状部材１５に作用させる弾性押圧力を、当該第２のコンタクト１８に隣接する第１のコンタクト１７の係止部２９が配線板状部材１５の被補強部分１４及び補強板状部材１３を介して受け止める。
【００４０】
また、基板側コネクタ１２の絶縁ハウジング１６において複数の第１のコンタクト１７と複数の第２のコンタクト１８とが交互に配列配置されているので、複数の第１のコンタクト１７における接点部２８が配線板状部材１５の被補強部分１４に設けられた複数の配線端子２３に夫々当接する複数の当接部位が成す第１の配列と、複数の第２のコンタクト１８における接点部３３が配線板状部材１５の被補強部分１４に設けられた複数の配線端子２３に夫々接触する複数の当接部位が成す第２の配列とが、互いに平行に伸びるものとされ、第１の配列が、第２のコンタクト１８の固定部３０が固定された絶縁ハウジング１６の部分３６に近接した位置におかれるとともに、第２の配列が、第１のコンタクト１７の固定部２５が固定された絶縁ハウジング１６の部分３５に近接した位置におかれる。同様に、複数の第１のコンタクト１７における係止部２９が補強板状部材１３をその第１の面２０側から係合係止する複数の係止部位が成す第３の配列と、複数の第２のコンタクト１８における係止部３４が補強板状部材１３をその第１の面２０側から係合係止する複数の係止部位が成す第４の配列が、互いに平行に伸びるものとされ、第３の配列が、第１のコンタクト１７の固定部２５が固定された絶縁ハウジング１６の部分３５に近接した位置におかれるとともに、第４の配列が、第２のコンタクト１８の固定部３０が固定された絶縁ハウジング１６の部分３６に近接した位置におかれる。
【００４１】
上述のような配線端子連結装置１０にあっては、配線板状部材１５が取り付けられた補強板状部材１３が、それに取り付けられた配線板状部材１５の被補強部分１４を伴って、基板側コネクタ１０の絶縁ハウジング１６に設けられた板状部材収容部１９に収容されたもとで、絶縁ハウジング１６に交互に配された第１のコンタクト１７の弾性アーム部分２７に設けられた接点部２８及び第２のコンタクト１８の弾性アーム部分３２に設けられた接点部３３が、配線板状部材１５に設けられた配線端子２３に当接せしめられることにより、第１のコンタクト１７及び第２のコンタクト１８の夫々によって配線板状部材１５に設けられた配線端子２３が主配線基板１１に設けられた基板側配線端子に連結されるが、その際、絶縁ハウジング１６の部分３５及び部分３６が板状部材収容部１９を挟んで相互対向するもとで、絶縁ハウジング１６における部分３６側において、第１のコンタクト１７の接点部２８が配線板状部材１５に作用させる弾性押圧力を、当該第１のコンタクト１７に隣接する第２のコンタクト１８の係止部３４が配線板状部材１５の被補強部分１４及び補強板状部材１３を介して受け止めるとともに、絶縁ハウジング１６における部分３５側において、第２のコンタクト１８の接点部３３が配線板状部材１５に作用させる弾性押圧力を、当該第２のコンタクト１８に隣接する第１のコンタクト１７の係止部２９が配線板状部材１５の被補強部分１４及び補強板状部材１３を介して受け止める。
【００４２】
このようにして、第１のコンタクト１７の接点部２８が配線板状部材１５に作用させる弾性押圧力が、当該第１のコンタクト１７に隣接する第２のコンタクト１８の係止部３４によって受け止められるとともに、第２のコンタクト１８の接点部３３が配線板状部材１５に作用させる弾性押圧力が、当該第２のコンタクト１８に隣接する第１のコンタクト１７の係止部２９によって受け止められることにより、基板側コネクタ１２の全体の厚み寸法をできるだけ小に抑える低背化が図られ、基板側コネクタ１２の絶縁ハウジング１６が比較的薄いものとして形成されたもとにあっても、配線板状部材１５に作用する第１のコンタクト１７の接点部２８及び第２のコンタクト１８の接点部３３による弾性押圧力がもたらす絶縁ハウジング１６に作用する反力が、絶縁ハウジング１６に“反り”を生じさせる事態が回避される。その結果、基板側コネクタ１２の絶縁ハウジング１６に配された第１のコンタクト１７及び第２のコンタクト１８と主配線基板１１の基板側配線端子との半田付け部に不所望な応力が作用して、当該半田付け部にクラックが発生してしまうというような不都合は生じない。
【００４３】
また、配線端子連結装置１０にあっては、基板側コネクタ１２の絶縁ハウジング１６において、複数の第１のコンタクト１７と複数の第２のコンタクト１８とが交互に配列配置され、複数の第１のコンタクト１７における接点部２８が配線板状部材１５の被補強部分１４に設けられた複数の配線端子２３に夫々当接する複数の当接部位が成す第１の配列と、複数の第２のコンタクト１８における接点部３３が配線板状部材１５の被補強部分１４に設けられた複数の配線端子２３に夫々当接する複数の当接部位が成す第２の配列とが、互いに平行に伸びるものとされ、第１の配列が、第２のコンタクト１８の固定部３０が固定された絶縁ハウジング１６の部分３６に近接した位置におかれるとともに、第２の配列が、第１のコンタクト１７の固定部２５が固定された絶縁ハウジング１６の部分３５に近接した位置におかれる。それにより、複数の第１のコンタクト１７における接点部２８が配線板状部材１５に及ぼす押圧力と複数の第２のコンタクト１８における接点部３３が配線板状部材１５に及ぼす押圧力とが、絶縁ハウジング１６に設けられた板状部材収容部１９に配線板状部材１５の被補強部分１４を伴って収容された補強板状部材１３の範囲内においてバランスよく分散され、配線板状部材１５に複数の第１のコンタクト１７及び複数の第２のコンタクト１８による不所望な偏った押圧力が加えられる事態の発生が回避される。
【００４４】
なお、基板側コネクタ１２の絶縁ハウジング１６に設けられた板状部材収容部１９に配線板状部材１５の被補強部分１４を伴って収容された補強板状部材１３を、板状部材収容部１９から脱出させる際には、補強板状部材１３に装着された引上用テープ１３Ａを、主配線基板１１における絶縁ハウジング１６が配された面に直交する方向に、絶縁ハウジング１６から離隔させるべく移動させる。それにより、引上用テープ１３Ａが装着された補強板状部材１３が、配線板状部材１５の被補強部分１４を伴って、板状部材収容部１９から引き上げられて脱出せしめられる。
【産業上の利用可能性】
【００４５】
以上のような本発明に係る配線端子連結装置は、複数のコンタクトが配列配置された絶縁ハウジングを有して主配線基板上に配される基板側コネクタを備え、フレキシブル印刷配線基板等の配線板状部材に設けられた複数の配線端子に複数のコンタクトを当接させることにより、配線板状部材に設けられた複数の配線端子を主配線基板に設けられた複数の基板側配線端子に夫々連結する連結機構を成すものであって、基板側コネクタの低背化が図られて絶縁ハウジングが比較的薄いものとして形成されたもとにあっても、配線板状部材に作用する複数のコンタクトの夫々の弾性押圧力がもたらす絶縁ハウジングに作用する反力が、絶縁ハウジングに“反り”を生じさせる事態を回避することができるものとして、様々な電子機器等に広く適用され得るものである。
【符号の説明】
【００４６】
１０・・・配線端子連結装置，  １１・・・主配線基板，  １２・・・基板側コネクタ，  １３・・・補強板状部材，  １４・・・（配線板状部材１５の）被補強部分，  １５・・・配線板状部材，  １６・・・絶縁ハウジング，  １７・・・第１のコンタクト，  １８・・・第２のコンタクト，  １９・・・板状部材収容部，  ２０・・・（補強板状部材１３の）第１の面，  ２１・・・（補強板状部材１３の）第２の面，  ２３・・・配線端子，  ２５，３０・・・固定部，  ２６，３１・・・基板接続部，  ２７，３２・・・弾性アーム部分，  ２８，３３・・・接点部，  ２９，３４・・・係止部，  ３７・・・スリット，  ３８，３９・・・溝
【図１】
2015035298.tif 000003
【図２】
2015035298.tif 000004
【図３】
2015035298.tif 000005
【図４】
2015035298.tif 000006
【図５】
2015035298.tif 000007
【図６】
2015035298.tif 000008
【図７】
2015035298.tif 000009
【図８】
2015035298.tif 000010
【図９】
2015035298.tif 000011
【図１０】
2015035298.tif 000012
【図１１】
2015035298.tif 000013
【図１２】
2015035298.tif 000014
【図１３】
2015035298.tif 000015